(57)【特許請求の範囲】
【請求項１】
少なくとも座部と、脚部と、背もたれとを有する介護用シャワー椅子であって、座部は前後方向に直線的に貫通する凹溝が設けられた座板と、座板の上面に着脱自在に装着される左右一対の合成樹脂発泡体製座板パッドからなり、座板パッドの一部を凹溝中央方向に突出させ、この突出部で使用者の座骨結節部を支持するようにし、この突出部は凹溝内に出っ張って荷重が加わると下方向に撓むことを特徴とする介護用シャワー椅子。
【請求項２】
前記凹溝の上部両側に段部が設けられ、前記座板パッドの裏側の突出部側には段部に当接する厚肉部が設けられていることを特徴とする請求項１記載の介護用シャワー椅子。
【請求項３】
前記合成樹脂発泡体は、ＥＶＡ、ＰＥ又はＰＰから選択されるポリオレフィンであることを特徴とする請求項１または２記載の介護用シャワー椅子。
【発明の詳細な説明】
【技術分野】
【０００１】
本発明は、高齢者や身体障害者が体を洗ったり、シャワーを浴びる際に使用する、介護用シャワー椅子に関するものである。
【背景技術】
【０００２】
高齢者や身体障害者が浴室で体を洗ったり、シャワーを浴びる際には、一般の風呂椅子よりも座面が高い介護用シャワー椅子が使用されている。特に、腰を上げるのが苦痛な人に対しては、座面の中央部にＵ字溝を設けた入浴椅子（特許文献１参照）や、座盤の前後方向に貫通する貫通溝を有するシャワー椅子（特許文献２参照）が知られている。これらの椅子を使用すると、座面の溝に前後から手やシャワーヘッドを挿入して局部を洗うことができるので、被介護者が腰を上げる必要がなく、負担が軽減される。
【特許文献１】実開平３−９４２２５号公報
【特許文献２】実開平６−７７６８２号公報
【発明の開示】
【発明が解決しようとする課題】
【０００３】
上記従来の椅子では、局部を洗いやすくするためには、座面の凹溝をある程度大きくする必要がある。しかし、凹溝の幅をあまり大きくすると、痩せた人が多い要介護者の臀部が凹溝にはまり込むおそれがある。さらに、凹溝上部のエッジ部が使用者の臀部を圧迫するので、使用者が痛みや違和感をおぼえるという問題があった。
【０００４】
一般に、座面の平坦な椅子に座る場合、臀部に加わる圧力の分布は、座骨結節部が最も高いとされている。また、一般的な人の場合、上記従来の凹溝付きシャワー椅子に座ると、凹溝上部のエッジ部が座骨結節の位置に近いので、臀部の痛みが増幅されてしまう。
【０００５】
椅子に座った際の臀部の痛みを和らげるために、座面上にクッション材を装着することが一般に行われているが、座面に凹溝がある場合は、凹溝上部のエッジ部の圧迫による痛みは解消されない。
【課題を解決するための手段】
【０００６】
本発明は、上記従来の課題を解決するための手段として、少なくとも座部と、脚部と、背もたれとを有する介護用シャワー椅子であって、座部は前後方向に直線的に貫通する凹溝が設けられた座板と、座板の上面に着脱自在に装着される左右一対の合成樹脂発泡体製座板パッドからなり、座板パッドの一部を凹溝中央方向に突出させ、この突出部で使用者の座骨結節部を支持するようにし、この突出部は凹溝内に出っ張って荷重が加わると下方向に撓むことを特徴とする介護用シャワー椅子を提供するものである。前記凹溝の上部両側に段部が設けられ、前記座板パッドの裏側の突出部側には段部に当接する厚肉部が設けられていることが望ましく、前記合成樹脂発泡体は、ＥＶＡ、ＰＥ又はＰＰから選択されるポリオレフィンであることが望ましい。
【発明の効果】
【０００７】
本発明の介護用シャワー椅子は、前後方向に直線的に貫通する凹溝が設けられた座板上面に左右一対の合成樹脂発泡体製座板パッドが装着され、座板パッドの一部を凹溝中央方向に突出させ、この突出部で使用者の座骨結節部を支持するようにしたので、突出部が下方に撓むことにより荷重が分散され、使用者の臀部が局部的に圧迫されることがない。もちろん、使用者の臀部が凹溝にはまり込むこともない。
【０００８】
また、凹溝の上部両側に段部が設けられ、座板パッドの裏側の突出部側に段部に当接する厚肉部が設けられていると、緩衝効果が大きくなるとともに、座板パッドの曲げ強度も増すので折れることがない。また、前記合成樹脂発泡体を、ＥＶＡ、ＰＥ又はＰＰから選択すれば、半硬質のパッドとなるので、使用者がぐらつくことなく、安定して座ることができる。
【発明を実施するための最良の形態】
【０００９】
本発明を図１〜図８に示す一実施例によって説明する。この介護用シャワー椅子１は、図１、２に示すように、金属製パイプを骨組みとして構成され、座部２と、背もたれ支柱３に固定された背もたれ４と、肘掛けパイプ５に根端を枢支された跳ね上げ式の肘掛け６と、脚７とからなる。
【００１０】
座部２は、ブロー成形された中空のプラスチック製の座板８と、その上に装着される一対の発泡ＥＶＡ製の座板パッド９からなる。座板８を中空に成形することにより、保温性があり、軽量のため取り扱いも容易である。座板パッド９を発泡体で構成することで断熱性に優れ、使用者に冷たさを感じさせないし、軽量で取り扱いも容易である。
【００１１】
背もたれ４は、ブロー成形された中空のプラスチック製の背もたれ板１０と、その前に装着された発泡ＥＶＡ製の背もたれパッド１１で構成され、背もたれ支柱３にネジで固定されている。背もたれ板１０の上部には、シャワー椅子１を持ち運んだり、移動する際の把持部となる長孔１０１が設けられている。背もたれ支柱３は、金属製パイプを曲げ加工したもので、下方が水平に折り曲げられ、脚７にネジで固定されている。
【００１２】
肘掛け６は、肘掛けパイプ５に根端を枢支され、上下回動自在とされている。肘掛けパイプ５は、金属製パイプを曲げ加工したもので、下側が脚７に、上側が背もたれ支柱３にそれぞれネジで固定されている。肘掛け６を跳ね上げ式としたので、肘掛け６を上方に跳ね上げれば移乗する際や、体を洗う際に邪魔にならないし、シャワー椅子１の使用時は肘掛け６を水平状態にして肘を置き、楽な状態で座ることができる。
【００１３】
脚７は、２本の金属製パイプを門型に曲げて中央部でクロス状に固定したもので、下方を二重管スライド方式で伸縮自在とされており、使用者の体型に合わせて座部２の高さを調整することができる。
【００１４】
座板８は、図３、４に示すように、その中央前後方向に貫通する凹溝８１を有する。凹溝８１の幅は１００ｍｍで深さは８５ｍｍである。凹溝８１の上部両側には段部８２が設けられている。座板８の上面は平坦面とされ、左右にそれぞれ３個の貫通孔８３が設けられている。また、図４で示すように、座板８の前部に切り欠き８４が設けられている。座板８の左右両側の裏側には、前後方向に延びる凹嵌部（図示せず）が形成されており、使用者が掴みやすいようにされている。座板８は、脚７の上にしっかりとネジで固定されている。
【００１５】
座板パッド９は、図５、６で示すように、座板８に着脱自在に装着される。左右一対の座板パッド９には、その前後方向で中央やや後部に、凹溝８１中央方向に突出する突出部９１がそれぞれ設けられている。この突出部９１は、シャワー椅子使用者の座骨結節部付近を支持する部分である。座板パッド９の厚みは、シャワー椅子１の外側部で２５ｍｍ、内側部（凹溝８１側）で１５ｍｍである。このように外側方向ほど厚く、中央方向ほど薄くすれば、使用者を安定に保つことができる。なお、座板パッド９の材質が柔らかすぎると、使用者がシャワー椅子１に座った際に不安定になりやすいので、本実施例の発泡ＥＶＡなどの半硬質で腰のある材質が好ましい。
【００１６】
座板パッド９の裏側には、図７に示すように、それぞれ３個の突起９２が設けられ、突出部９１側には座板８の段部８２に当接する厚肉部９３が前後方向に延設されている。厚肉部９３では、座板８より上側が１５ｍｍ、下側が２５ｍｍで計４０ｍｍの厚さとなっている。
【００１７】
座板パッド９を座板８に装着する際は、座板パッド９を座板８の上に置いて、軽く押し込み、突起９２をそれぞれ対応する位置の貫通孔８３に嵌入させる。この状態で裏側の厚肉部９３が図６に示すように、段部８２に当接するようになっている。座板パッド９を座板８から取り外す場合は、座板パッド９の端部を掴んで上に持ち上げると容易に取り外すことができる。座板パッド９の着脱が容易なため、シャワー椅子１を洗う場合に便利である。
【００１８】
本発明の介護用シャワー椅子１を使用する際は、まず移乗する側の肘掛け６を跳ね上げてシャワー椅子１に座り、跳ね上げた肘掛け６を水平状態に戻して肘をおき、楽な姿勢を保ちながら介助者に体を洗ってもらう。介助者は、座板８に設けられた凹溝８１に前後から手やシャワーヘッドを挿入して局部を洗う。凹溝８１の前方から手を挿入する場合は、切り欠き８４が設けられているのでさらに洗いやすくなっている。なお、使用者によっては、自分で洗うことももちろん可能である。
【００１９】
本発明の実施例の場合、図８に示すように、一対の座面パッド９の突出部９１間の間隔ａは４５ｍｍ、凹溝８１と左右の段部８２でできるエッジ部間の間隔ｂは１００ｍｍ、左右の段部８２の上端部間の間隔ｃは１５０ｍｍである。
【００２０】
Ｄ部は座板パッド９の厚肉部９３であり、肉厚を増すことによって緩衝効果を増大させ、座骨結節部に加わる圧力を低減している。Ｅ部も座板パッド９の厚肉部９３であることに加え、段部８２から凹溝８１中央方向に突出し、底面が座板８によって支持されていないので、荷重が加わると下方向に撓む。
【００２１】
なお、本実施例では肘掛け６を跳ね上げ式としたが、固定式の肘掛けを使用してもよく、また、肘掛けを設けなくてもよい。また、座板パッド９の取付方法も本実施例に限定されることはなく、着脱自在であれば、他の方法を採用してもよい。
【図面の簡単な説明】
【００２２】
【図１】本発明による一実施例の介護用シャワー椅子の斜視図
【図２】図１の正面図
【図３】図１の座板パッドを外した状態の斜視図
【図４】座板の平面図
【図５】座部の平面図
【図６】図５におけるＬ−Ｌ断面図
【図７】座板パッドの裏側の斜視図
【図８】図６における荷重負荷説明図
【符号の説明】
【００２３】
１    介護用シャワー椅子
２    座部
３    背もたれ支柱
４    背もたれ
５    肘掛けパイプ
６    肘掛け
７    脚
８    座板
９    座板パッド
１０  背もたれ板
１１  背もたれパッド
８１  凹溝
８２  段部
９１  突出部
９３  厚肉部
【図１】
0004584798.tif 000002
【図２】
0004584798.tif 000003
【図３】
0004584798.tif 000004
【図４】
0004584798.tif 000005
【図５】
0004584798.tif 000006
【図６】
0004584798.tif 000007
【図７】
0004584798.tif 000008
【図８】
0004584798.tif 000009